(57)【要約】【課題】質量ができた場はどのような場か。質量のある磁気の光子は、電磁気から独立して存在するのか。それとも電磁気の輪として存在するのか。ビッグバンの以前の宇宙の場はどのように推移したか。【解決手段】ある特定のエネルギーの場で放出したエネルギーは質量になっていて、質量エネルギーとなっている。質量エネルギー＝1.296×10−48Kg×9×1016×A＝放出した電磁気のエネルギー＝aJ。A=8.576×1030aの場で、エネルギーは質量エネルギーになる。a.磁気の光子が独立して存在する場合の電子のラブの大きさ＝磁気の光子の軌道×(7.028×1017個)1/3。b. 磁気の光子は電磁気の輪になって存在する場合の電子のラブの大きさ＝電磁気の軌道×(7.028×1017個)1/3。c.電子のラブの大きさ＝地表の電子のラブの自転軌道÷質量ができた場のA。cの値に近いのは、aの値かbの値か、によって答が出る。ビッグバンの以前の宇宙の場はAの値により推移する。【選択図】図２
2012095439.tif 000002
【特許請求の範囲】
【請求項１】
質量はどのようにできたか。
ある特定のエネルギーの場で質量ができたとする。その特定のエネルギーの場で、質量エネルギーができる。その特定のエネルギーの場で、放出したエネルギーは質量になっていて、質量エネルギーとなっている。特定の場のエネルギーを地表のA倍とする。
質量エネルギー＝1.296×10−48Kg×9×1016×A＝1.166×10−31J×A＝放出した電磁気のエネルギー＝aJ
A=aJ÷(1.166×10−31J)＝8.576×1030a
A=8.576×1030aの場で、放出した電磁気のエネルギー＝質量エネルギーになる。8.576×1030aJのエネルギーの場で、放出したエネルギーは質量エネルギーと成り、質量ができている。
放出したエネルギーが質量エネルギーになる。この事はエネルギーが質量になることです。
A=8.576×1030aの場で、エネルギーは質量エネルギーになる事ができます。
それで、A=8.576×1030aの場で、質量ができます。
【請求項２】
質量ができた磁気の光子は、電磁気から独立し、7.96×107個の磁気の光子になり、7.96×107個の磁気の光子が重なり合って、存在するのか。又は、磁気の光子は電磁気の輪になって存在するのか。(特願2010−229174、では、7.96×107個の磁気の光子が重なり合って、存在すると考えた。)
a.磁気の光子が独立して存在し、7.96×107個の磁気の光子が重なり合い、これが7.028×1017個集合する場合の電子のラブの大きさ＝磁気の光子の軌道×(7.028×1017個)1/3
b. 磁気の光子は電磁気の輪になって存在する場合の電子のラブの大きさ＝電磁気の軌道×(7.028×1017個)1/3
c.電子のラブの大きさ＝地表の電子のラブの自転軌道÷質量ができた場のA
cの値に近いのは、aの値かbの値か、によって答が出る。
質量ができる場のA=8.576×1030a、です。
質量ができる場の磁気の光子の軌道は、磁気の光子の軌道＝質量ができる場の電磁気の軌道×3.14÷(7.96×10７)＝1.233×10-41Jm÷(aJ×A)×3.14÷(7.96×10７)＝4.864×10-49m÷(aJ×A)＝4.864×10-49m÷(aJ×8.576×1030a)＝5.672×10-80÷a2m
質量ができる場の電磁気の軌道は、電磁気の軌道＝1.233×10−41Jm÷エネルギー＝1.233×10−41Jm÷(aJ×8.574×1030a)＝1.438×10−72÷a2m
それで、
a.磁気の光子が独立して存在し、7.96×107個の磁気の光子が重なり合い、これが7.028×1017個集合する場合の電子のラブの大きさ＝磁気の光子の軌道×(7.028×1017個)1/3＝5.672×10-80÷a2m×8.891×10５＝5.043×10-74÷a2m
b. 磁気の光子は電磁気の輪になって存在する場合の電子のラブの大きさ＝電磁気の軌道×(7.028×1017個)1/3＝1.438×10−72÷a2m×8.891×105＝1.279×10-66÷a2m
c.電子のラブの大きさ＝地表の電子のラブの自転軌道÷質量ができた場のA＝4.175×10-18m÷(8.576×1030a)＝4.868×10-49÷am
この式により、各々の放出した電磁気でできる電子のラブの大きさを求め、a.b.c.を比較する。
1eVの場合。
a.の値は、電子のラブの大きさ＝5.043×10-74÷a2m＝5.043×10-74÷(1.602×10-19)2m＝5.043×10-74÷(2.566×10-38)m＝1.965×10-36m
b.の値は、電子のラブの大きさ＝1.279×10-66÷a2m＝1.279×10-66÷(1.602×10-19)2m＝1.279×10-66÷(2.566×10-38)m＝4.984×10-29m
c.の値は、電子のラブの大きさ＝4.868×10-49÷am＝4.868×10-49÷(1.602×10-19)m＝3.039×10-30m
よって、c.の値に近いのはb.の値です。
2.154×10-19Jの場合。
a.の値は、電子のラブの大きさ＝5.043×10-74÷a2m＝5.043×10-74÷(2.154×10-19)2m＝5.043×10-74÷(4.640×10-38)m＝1.087×10-36m
b.の値は、電子のラブの大きさ＝1.279×10-66÷a2m＝1.279×10-66÷(2.154×10-19)2m＝1.279×10-66÷(4.640×10-38)m＝2.756×10-29m
c.の値は、電子のラブの大きさ＝4.868×10-49÷am＝4.868×10-49÷(2.154×10-19)m＝2.260×10-30m
よって、c.の値に近いのはb.の値です。
1.423×10-18Jの場合。
a.の値は、電子のラブの大きさ＝5.043×10-74÷a2m＝5.043×10-74÷(1.423×10-18)2m＝5.043×10-74÷(2.025×10-36)m＝2.490×10-38m
b.の値は、電子のラブの大きさ＝1.279×10-66÷a2m＝1.279×10-66÷(1.423×10-18)2m＝1.279×10-66÷(2.025×10-36)m＝6.316×10-31m
c.の値は、電子のラブの大きさ＝4.868×10-49÷am＝4.868×10-49÷(1.423×10-18)m＝3.421×10-31m
よって、c.の値に近いのはb.の値です。
1.233×10-17Jの場合。
a.の値は、電子のラブの大きさ＝5.043×10-74÷a2m＝5.043×10-74÷(1.233×10-17)2m＝5.043×10-74÷(1.520×10-34)m＝4.090×10-40m
b.の値は、電子のラブの大きさ＝1.279×10-66÷a2m＝1.279×10-66÷(1.233×10-17)2m＝1.279×10-66÷(1.520×10-34)m＝8.414×10-33m
c.の値は、電子のラブの大きさ＝4.868×10-49÷am＝4.868×10-49÷(1.233×10-17)m＝3.948×10-32m
よって、c.の値に近いのはb.の値です。
4.499×10-15Jの場合。
a.の値は、電子のラブの大きさ＝5.043×10-74÷a2m＝5.043×10-74÷(4.499×10-1５)2m＝5.043×10-74÷(2.024×10-29)m＝2.492×10-45m
b.の値は、電子のラブの大きさ＝1.279×10-66÷a2m＝1.279×10-66÷(4.499×10-1５)2m＝1.279×10-66÷(2.024×10-29)m＝6.319×10-38m
c.の値は、電子のラブの大きさ＝4.868×10-49÷am＝4.868×10-49÷(4.499×10-15)m＝1.082×10-34m
よって、c.の値に近いのはb.の値です。
一般式で解く。
cの値÷aの値＝4.868×10-49÷am÷(5.043×10-74÷a2m)＝9.653×1024×a
cの値÷bの値＝4.868×10-49÷am÷(1.279×10-66÷a2m)＝3.806×1017×a
よって、c.の値に近いのはb.の値です。
即ち、質量ができた磁気の光子は電磁気の輪になって存在する。
【請求項３】
質量ができた場のAは、できる電子のラブのエネルギーの何倍のエネルギーか。
放出した電磁気のエネルギー別に、質量ができた場のA÷できる電子のラブのエネルギー、を計算する。
1eVの場合。
質量ができた場のA÷できる電子のラブのエネルギー＝1.374×1012÷(1.602×10-19J×7.028×1017個)＝1.220×1013(倍)
2.154×10-19Jの場合。
質量ができた場のA÷できる電子のラブのエネルギー＝1.847×1012÷(2.154×10-19J×7.028×1017個)＝1.220×1013(倍)
1.423×10-18Jの場合。
質量ができた場のA÷できる電子のラブのエネルギー＝1.220×1013÷(1.423×10-18J×7.028×1017個)＝1.220×1013(倍)
1.233×10-17Jの場合。
質量ができた場のA÷できる電子のラブのエネルギー＝1.057×1014÷(1.233×10-17J×7.028×1017個)＝1.220×1013(倍)
4.499×10-15Jの場合。
質量ができた場のA÷できる電子のラブのエネルギー＝3.858×1016÷(4.499×10-15J×7.028×1017個)＝1.220×1013(倍)
一般式から、
質量ができた場のA÷できる電子のラブのエネルギー＝8.574×1030a÷(aJ×7.028×1017個)＝1.220×1013
よって、質量ができた場のAは、できる電子のラブのエネルギーの1.220×1013倍です。
【請求項４】
電子のラブができた場のAは、できる電子のラブのエネルギーの何倍のエネルギーか。
放出した電磁気のエネルギー別に、電子のラブができた場のA÷できる電子のラブのエネルギー、を計算する。
1eVの場合。
電子のラブができた場のA÷できる電子のラブのエネルギー＝2.987×1019÷(1.602×10-19J×7.028×1017個)＝2.653×1020
2.154×10-19Jの場合。
電子のラブができた場のA÷できる電子のラブのエネルギー＝4.017×1019÷(2.154×10-19J×7.028×1017個)＝2.654×1020
1.423×10-18Jの場合。
電子のラブができた場のA÷できる電子のラブのエネルギー＝2.655×1020÷(1.423×10-18J×7.028×1017個)＝2.655×1020
1.233×10-17Jの場合。
電子のラブができた場のA÷できる電子のラブのエネルギー＝2.299×1021÷(1.233×10-17J×7.028×1017個)＝2.653×1020
4.499×10-15Jの場合。
電子のラブができた場のA÷できる電子のラブのエネルギー＝8.389×1023÷(4.499×10-15J×7.028×1017個)＝2.653×1020
一般式から、
電子のラブができた場のA÷できる電子のラブのエネルギー＝1.865×1038a÷(aJ×7.028×1017個)＝2.654×1020
よって、質量ができた場のAは、できる電子のラブのエネルギーの2.654×1020倍です。
【請求項５】
陽子のラブができた場のAは、できる陽子のラブのエネルギーの何倍のエネルギーか。
放出した電磁気のエネルギー別に、陽子のラブができた場のA÷できる陽子のラブのエネルギー、を計算する。
1eVの場合。
陽子のラブができた場のA÷できる陽子のラブのエネルギー＝5.479×1022÷(1.602×10-19J×1.289×1021個)＝2.653×1020
2.154×10-19Jの場合。
陽子のラブができた場のA÷できる陽子のラブのエネルギー＝7.367×1022÷(2.154×10-19J×1.289×1021個)＝2.653×1020
1.423×10-18Jの場合。
陽子のラブができた場のA÷できる陽子のラブのエネルギー＝4.867×1023÷(1.423×10-18J×1.289×1021個)＝2.653×1020
1.233×10-17Jの場合。
陽子のラブができた場のA÷できる陽子のラブのエネルギー＝4.220×1024÷(1.233×10-17J×1.289×1021個)＝2.655×1020
4.499×10-15Jの場合。
陽子のラブができた場のA÷できる陽子のラブのエネルギー＝1.540×1027÷(4.499×10-15J×1.289×1021個)＝2.656×1020
一般式から、
陽子のラブができた場のA÷できる陽子のラブのエネルギー＝3.421×1041a÷(aJ×1.289×1021個)＝2.654×1020
よって、陽子のラブができた場のAは、できる陽子のラブのエネルギーの2.654×1020倍です。
【請求項６】
放出した電磁気の状態はどのようであったか。
一般式を示す。
電磁気のエネルギー＝aJ
電磁気の軌道＝1.233×10−41Jm÷エネルギー＝1.233×10−41Jm÷aJ
電磁気の軌道エネルギー＝1.233×10−41Jm÷aJ×aJ=1.233×10−41Jm
磁気の光子のエネルギー＝電磁気のエネルギー÷(7.96×107)＝aJ÷(7.96×107)=1.256×10-8×aJ
磁気の光子の軌道＝電磁気の軌道×3.14÷(7.96×107)＝1.233×10−41Jm÷aJ×3.14÷(7.96×107)＝4.864×10-49÷am
磁気の光子の軌道エネルギー＝4.864×10-49÷am×1.256×10-8×aJ＝6.109×10-57Jm
この式により、各々の放出した電磁気の状態を理解する。
【請求項７】
放出した電磁気の場の状態はどのようであったか。
一般式を示す。
A=2.653×1020×a
電磁気のエネルギー＝aJ×A＝2.653×1020×a2J
電磁気の軌道＝1.233×10−41Jm÷エネルギー＝1.233×10−41Jm÷(2.653×1020×a2J)＝4.648×10-62÷a2m
電磁気の軌道エネルギー＝4.648×10-62÷a2m×2.653×1020×a2J＝1.233×10-41Jm
磁気の光子のエネルギー＝電磁気のエネルギー÷(7.96×107)＝2.653×1020×a2J÷(7.96×107)＝3.333×1012×a2J
磁気の光子の軌道＝電磁気の軌道×3.14÷(7.96×107)＝4.648×10-62÷a2m×3.14÷(7.96×107)＝1.834×10-69÷a2m
磁気の光子の軌道エネルギー＝1.834×10-69÷a2m×3.333×1012×a2J＝6.113×10-57Jm
この式により、各々の放出した電磁気の場の状態を理解する。
【請求項８】
質量ができた場の状態はどのようであったか。
一般式を示す。
質量＝1.296×10−48Kg
A=8.574×1030a
電磁気のエネルギー＝aJ×A＝8.574×1030a2J
電磁気の軌道＝1.233×10−41Jm÷エネルギー＝1.233×10−41Jm÷(aJ×8.574×1030a)＝1.438×10−72÷a2m
電磁気の質量エネルギー＝1.296×10−48Kg×9×1016×A=1.166×10−31J×8.574×1030a＝aJ
電磁気の軌道エネルギー＝1.438×10−72÷a2m×aJ＝1.438×10−72÷am
電磁気の質量エネルギー×軌道＝aJ×1.438×10−72÷a2m＝1.438×10−72÷am
磁気の光子の質量＝1.628×10−56Kg
磁気の光子のエネルギー＝電磁気のエネルギー÷(7.96×107)＝8.574×1030a2J÷(7.96×107)＝1.077×1023a2J
磁気の光子の軌道＝電磁気の軌道×3.14÷(7.96×107)＝1.438×10−72÷a2m×3.14÷(7.96×107)＝5.673×10−80÷a2m
磁気の光子の質量エネルギー＝1.628×10−56Kg×9×1016×A=1.465×10−39×8.574×1030a＝1.256×10−8×a
磁気の光子の軌道エネルギー＝5.673×10−80÷a2m×1.077×1023a2J＝6.110×10−57Jm
磁気の光子の質量エネルギー×軌道＝1.256×10−8×a×5.673×10−80÷a2m＝7.125×10−88÷a Jm
この式により、各々の放出した電磁気の質量ができた場の状態を理解する。
【請求項９】
電子のラブができた場の状態はどのようであったか。
一般式を示す。
質量＝1.296×10−48Kg
A=1.865×1038a
電磁気のエネルギー＝aJ×A＝1.865×1038a2J
電磁気の軌道＝1.233×10−41Jm÷エネルギー＝1.233×10−41Jm÷(1.865×1038a2J)=6.611×10-80m÷a2
電磁気の質量エネルギー＝1.296×10−48Kg×9×1016×A=1.166×10−31J×1.865×1038a=2.175×10７a J
電磁気の軌道エネルギー＝6.611×10-80m÷a2×1.865×1038a2J＝1.233×10-41Jm
電磁気の質量エネルギー×軌道＝2.175×10７a J×6.611×10-80m÷a2＝1.438×10-72÷a Jm
磁気の光子の質量＝1.628×10−56Kg
磁気の光子のエネルギー＝電磁気のエネルギー÷(7.96×107)＝1.865×1038a2J÷(7.96×107)＝2.343×1030a2J
磁気の光子の軌道＝電磁気の軌道×3.14÷(7.96×107)＝6.611×10-80m÷a2×3.14÷(7.96×107)＝2.608×10-87m÷a2 
磁気の光子の質量エネルギー＝1.628×10−56Kg×9×1016×A=1.465×10−39×1.865×1038a=2.732×10-1a J
磁気の光子の軌道エネルギー＝2.608×10-87m÷a2×2.343×1030a2J=6.111×10-57Jm
磁気の光子の質量エネルギー×軌道＝2.732×10-1a
J×2.608×10-87m÷a2＝7.125×10-88÷a Jm
電子のラブの大きさ＝電磁気の軌道×(7.028×1017)1/3=電磁気の軌道×8.891×105
電子のラブの大きさ＝地表の電子のラブの自転軌道÷A=4.18×10-18m÷A
電子のラブのエネルギー＝電磁気の質量エネルギー×7.028×1017個
電子のラブのエネルギー＝地表の電子のラブのエネルギー×A=8.187×10-14J×A
この式により、各々の放出した電磁気の電子のラブができた場の状態を理解する。
【請求項１０】
陽子のラブができた場の状態はどのようであったか。
一般式を示す。
質量＝1.296×10−48Kg
A=3.421×1041a
電磁気のエネルギー＝aJ×A＝3.421×1041a2J
電磁気の軌道＝1.233×10−41Jm÷エネルギー＝1.233×10−41Jm÷(3.421×1041a2J)＝3.604×10-83÷a2 m
電磁気の質量エネルギー＝1.296×10−48Kg×9×1016×A=1.166×10−31J×3.421×1041a=3.989×1010aJ
電磁気の軌道エネルギー＝3.604×10-83÷a2 m×3.421×1041a2J=1.233×10-41Jm
電磁気の質量エネルギー×軌道＝3.989×1010aJ×3.604×10-83÷a2 m＝1.438×10-72÷a Jm
磁気の光子の質量=電磁気の質量÷1公転の自転数＝1.296×10−48Kg÷(4.34×10４)＝2.986×10-53Kg
磁気の光子のエネルギー＝電磁気のエネルギー÷1公転の自転数＝電磁気のエネルギー÷(4.34×104)＝3.421×1041a2J÷(4.34×104)＝ 7.882×1036a2J
磁気の光子の軌道＝電磁気の軌道×3.14÷1公転の自転数＝3.604×10-83÷a2 m×3.14÷(4.34×104)＝2.608×10-87÷a2 m
磁気の光子の質量エネルギー＝2.986×10-53Kg×9×1016×A＝2.687×10-36J×3.421×1041a=9.194×10５aJ
磁気の光子の軌道エネルギー＝2.608×10-87÷a2 m×7.882×1036a2J＝2.056×10-50Jm
磁気の光子の質量エネルギー×軌道＝9.194×10５aJ×2.608×10-87÷a2 m＝2.398×10-81÷a Jm
陽子のラブの大きさ＝電磁気の軌道×(1.289×1021個)1/3=電磁気の軌道×1.088×10７
陽子のラブの大きさ＝地表の陽子のラブの大きさ÷A=4.18×10-18m÷A
陽子のラブのエネルギー＝電磁気の質量エネルギー×1.289×1021
陽子のラブのエネルギー＝地表の陽子のラブのエネルギー×A＝1.5×10-10J×A
この式により、各々の放出した電磁気の陽子のラブができた場の状態を理解する。
【請求項１１】
質量ができる場と電子のラブができる場と陽子のラブができる場の電磁気と磁気の光子に関する一般式を表で比較します。但し、a2=a×aです。
表14
2012095439.tif 000016
陽子のラブの磁気の光子のエネルギーが電子のラブの磁気の光子のエネルギーの何倍か。その理由はどうしてか。
陽子のラブの磁気の光子のエネルギー÷電子のラブの磁気の光子のエネルギー＝7.882×1036×a2J÷(2.343×1030×a2J)＝3.364×106(倍)
陽子のラブの磁気の光子のエネルギーが電子のラブの磁気の光子のエネルギーの3.364×106倍です。
その理由は、陽子のラブの電磁気のエネルギーは、電子のラブの電磁気のエネルギーの1836倍です。
電子のラブの1個の磁気のエネルギーは電子のラブの1個の電磁気のエネルギーの7.96×107分の1です。
陽子のラブの1個の磁気のエネルギーは陽子のラブの1個の電磁気のエネルギーの4.34×104分の1です。
電子のラブの電磁気のエネルギーをｂJとすると、陽子のラブの磁気のエネルギーは、1836×ｂJ÷(4.34×103)＝4.23×10−2ｂJ、です。
電子のラブの磁気の光子のエネルギーは、ｂJ÷(7.96×107)＝1.256×10−8ｂJ、です。
それで、陽子のラブの磁気の光子のエネルギー÷電子のラブの磁気の光子のエネルギー＝4.23×10−2ｂJ÷(1.256×10−8ｂJ)＝3.368×106
陽子のラブの磁気の光子のエネルギーは電子のラブの磁気の光子のエネルギーの3.368×106倍です。
【請求項１２】
放出した電磁気によってできる場のAと、質量ができた場のAと、電子のラブができた場のAと、陽子のラブができる場のAの関係はどのようであるか。電磁気は何個集まって質量になることができるか。
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができる場のエネルギーは、電磁気の場のエネルギーの7.030×1017倍になっている。
それで、電磁気は7.030×1017個集まって、1つの電子のラブになることができる。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
質量ができた場のA÷放出した電磁気によってできる場のA＝8.574×1030a÷(2.653×1020a)＝3.232×1010
質量ができた場のエネルギーは、放出した電磁気によってできる場のエネルギーの3.232×1010倍になっている。
それで、電磁気は3.232×1010個集まって、質量になることができる。
これを“質量になる電磁気の集団”と名付ける。
【請求項１３】
電子のラブは、電磁気が3.232×1010個集まって質量になった“質量になる電磁気の集団”が何集団でできるか。陽子のラブは、“質量になる電磁気の集団”が何集団でできるか。
電子のラブの電磁気の数÷“質量になる電磁気の集団”の数＝7.028×1017個÷(3.232×1010個)＝2.175×107
電子のラブは“質量になる電磁気の集団”が2.175×107集団でできる。
陽子のラブの電磁気の数÷“質量になる電磁気の集団”の数＝1.289×1021個÷(3.232×1010個)＝3.998×1010
陽子のラブは“質量になる電磁気の集団”が3.988×1010集団でできる。
【発明の詳細な説明】
【技術分野】
【０００１】
本発明は、電子と陽子がどのようにできたかに関するものである。
【背景技術】
【０００２】
電子と陽子はビッグバンの以前にできた。私は、電子の中に非常に小さい物が存在する。その名を電子のラブと名付けた。陽子の中に非常に小さい物が存在する。その名を陽子のラブと名付けた。私は、特願2010−224430において、ビッグバンの以前、電子のラブと陽子のラブが存在しない以前、磁気の光子が1.628×10−56Kgの質量になり、それが7.96×107個集まって、“質量になる物質”になる、と考えた。
【先行技術文献】
【特許文献】
【０００３】
【特許文献１】特願２００６−３３６３５２
【特許文献２】特願２００６−３５７５５０
【特許文献３】特願２００７−１１２３８９
【特許文献４】特願２００７−１３３４７６
【特許文献５】特願２００７−１５０７５９
【特許文献６】特願２００７−２７９６１７
【特許文献７】特願２００８−１６２５５３
【特許文献８】特願２００９−２１８１９２
【特許文献９】特願２０１０−１９５０２９
【特許文献１０】特願２０１０−２１０１４１
【特許文献１１】特願２０１０−２２４４３０
【特許文献１２】特願２０１０−２２９１７４
【発明の概要】
【発明が解決しようとする課題】
【０００４】
解決しようとする課題を次に記す。
１．質量はどのようにできたか。
２．質量ができた磁気の光子は、電磁気から独立し、7.96×107個の磁気の光子になり、7.96×107個の磁気の光子が重なり合って、存在するのか。又は、磁気の光子は電磁気の輪になって存在するのか。特願2010−229174、では、7.96×107個の磁気の光子が重なり合って、存在すると考えた。
３．質量ができた場のAは、できる電子のラブのエネルギーの何倍のエネルギーか。
４．電子のラブができた場のAは、できる電子のラブのエネルギーの何倍のエネルギーか。
５．陽子のラブができた場のAは、できる陽子のラブのエネルギーの何倍のエネルギーか。
６．放出した電磁気の状態はどのようであったか。
７．放出した電磁気の場の状態はどのようであったか。
８．質量ができた場の状態はどのようであったか。
９．電子のラブができた場の状態はどのようであったか。
１０．陽子のラブができた場の状態はどのようであったか。
１１．質量ができる場と電子のラブができる場と陽子のラブができる場の電磁気と磁気の光子に関する一般式を再検討します。
１２．放出した電磁気によってできる場のAと、質量ができた場のAと、電子のラブができた場のAと、陽子のラブができる場のAの関係はどのようであるか。電磁気は何個集まって質量になることができるか。
１３．電子のラブは、電磁気が3.232×1010個集まって質量になった“質量になる電磁気の集団”が何集団でできるか。陽子のラブは、“質量になる電磁気の集団”が何集団でできるか。
【課題を解決するための手段】
【０００５】
課題を次のように解決する。
１．質量はどのようにできたか。
ある特定のエネルギーの場で質量ができたとする。その特定のエネルギーの場で、質量エネルギーができる。その特定のエネルギーの場で、放出したエネルギーは質量になっていて、質量エネルギーとなっている。特定の場のエネルギーを地表のA倍とする。
質量エネルギー＝1.296×10−48Kg×9×1016×A＝1.166×10−31J×A＝放出した電磁気のエネルギー＝aJ
A=aJ÷(1.166×10−31J)＝8.576×1030a
A=8.576×1030aの場で、放出した電磁気のエネルギー＝質量エネルギーになる。8.576×1030aJのエネルギーの場で、放出したエネルギーは質量エネルギーと成り、質量ができている。
放出したエネルギーが質量エネルギーになる。この事はエネルギーが質量になることです。
A=8.576×1030aの場で、エネルギーは質量エネルギーになる事ができます。
それで、A=8.576×1030aの場で、質量ができます。
２．質量ができた磁気の光子は、電磁気から独立し、7.96×107個の磁気の光子になり、7.96×107個の磁気の光子が重なり合って、存在するのか。又は、磁気の光子は電磁気の輪になって存在するのか。(特願2010−229174、では、7.96×107個の磁気の光子が重なり合って、存在すると考えた。)
a.磁気の光子が独立して存在し、7.96×107個の磁気の光子が重なり合い、これが7.028×1017個集合する場合の電子のラブの大きさ＝磁気の光子の大きさ×(7.028×1017個)1/3
b. 磁気の光子は電磁気の輪になって存在する場合の電子のラブの大きさ＝電磁気の大きさ×(7.028×1017個)1/3
c.電子のラブの大きさ＝地表の電子のラブの自転軌道÷質量ができた場のA
cの値に近いのは、aの値かbの値か、によって答が出る。
質量ができる場のA=8.576×1030a、です。
質量ができる場の磁気の光子の軌道は、磁気の光子の軌道＝質量ができる場の電磁気の軌道×3.14÷(7.96×10７)＝1.233×10-41Jm÷(aJ×A)×3.14÷(7.96×10７)＝4.864×10-49m÷(aJ×A)＝4.864×10-49m÷(aJ×8.576×1030a)＝5.672×10-80÷a2m
質量ができる場の電磁気の軌道は、電磁気の軌道＝1.233×10−41Jm÷エネルギー＝1.233×10−41Jm÷(aJ×8.574×1030a)＝1.438×10−72÷a2m
それで、
a.磁気の光子が独立して存在し、7.96×107個の磁気の光子が重なり合い、これが7.028×1017個集合する場合の電子のラブの大きさ＝磁気の光子の軌道×(7.028×1017個)1/3＝5.672×10-80÷a2m×8.891×10５＝5.043×10-74÷a2m
b. 磁気の光子は電磁気の輪になって存在する場合の電子のラブの大きさ＝電磁気の軌道×(7.028×1017個)1/3＝1.438×10−72÷a2m×8.891×105＝1.279×10-66÷a2m
c.電子のラブの大きさ＝地表の電子のラブの自転軌道÷質量ができた場のA＝4.175×10-18m÷(8.576×1030a)＝4.868×10-49÷am
この式により、各々の放出した電磁気のでできる電子のラブのの大きさを計算し、a.b.cを比較する。
一般式で解く。
cの値÷aの値＝4.868×10-49÷am÷(5.043×10-74÷a2m)＝9.653×1024×a
cの値÷bの値＝4.868×10-49÷am÷(1.279×10-66÷a2m)＝3.806×1017×a
よって、c.の値に近いのはb.の値です。
３．質量ができた場のAは、できる電子のラブのエネルギーの何倍のエネルギーか。
放出した電磁気のエネルギー別に、質量ができた場のA÷できる電子のラブのエネルギー、を計算する。
一般式から、
質量ができた場のA÷できる電子のラブのエネルギー＝8.574×1030a÷(aJ×7.028×1017個)＝1.220×1013
よって、質量ができた場のAは、できる電子のラブのエネルギーの1.220×1013倍です。
４．電子のラブができた場のAは、できる電子のラブのエネルギーの何倍のエネルギーか。
放出した電磁気のエネルギー別に、電子のラブができた場のA÷できる電子のラブのエネルギー、を計算する。
一般式から、
電子のラブができた場のA÷できる電子のラブのエネルギー＝1.865×1038a÷(aJ×7.028×1017個)＝2.654×1020
よって、電子のラブができた場のAは、できる電子のラブのエネルギーの2.654×1020倍です。
５．陽子のラブができた場のAは、できる陽子のラブのエネルギーの何倍のエネルギーか。
放出した電磁気のエネルギー別に、陽子のラブができた場のA÷できる陽子のラブのエネルギー、を計算する。
一般式から、
陽子のラブができた場のA÷できる陽子のラブのエネルギー＝3.421×1041a÷(aJ×1.289×1021個)＝2.654×1020
よって、陽子のラブができた場のAは、できる陽子のラブのエネルギーの2.654×1020倍です。
６．放出した電磁気の状態はどのようであったか。
一般式を示す。
電磁気のエネルギー＝aJ
電磁気の軌道＝1.233×10−41Jm÷エネルギー＝1.233×10−41Jm÷aJ
電磁気の軌道エネルギー＝1.233×10−41Jm÷aJ×aJ=1.233×10−41Jm
磁気の光子のエネルギー＝電磁気のエネルギー÷(7.96×107)＝aJ÷(7.96×107)=1.256×10-8×aJ
磁気の光子の軌道＝電磁気の軌道×3.14÷(7.96×107)＝1.233×10−41Jm÷aJ×3.14÷(7.96×107)＝4.864×10-49÷am
磁気の光子の軌道エネルギー＝4.864×10-49÷am×1.256×10-8×aJ＝6.109×10-57Jm
この式により、各々の放出した電磁気の状態を理解する。
７．放出した電磁気の場の状態はどのようであったか。
一般式を示す。
A=2.653×1020×a
電磁気のエネルギー＝aJ×A＝2.653×1020×a2J
電磁気の軌道＝1.233×10−41Jm÷エネルギー＝1.233×10−41Jm÷(2.653×1020×a2J)＝4.648×10-62÷a2m
電磁気の軌道エネルギー＝4.648×10-62÷a2m×2.653×1020×a2J＝1.233×10-41Jm
磁気の光子のエネルギー＝電磁気のエネルギー÷(7.96×107)＝2.653×1020×a2J÷(7.96×107)＝3.333×1012×a2J
磁気の光子の軌道＝電磁気の軌道×3.14÷(7.96×107)＝4.648×10-62÷a2m×3.14÷(7.96×107)＝1.834×10-69÷a2m
磁気の光子の軌道エネルギー＝1.834×10-69÷a2m×3.333×1012×a2J＝6.113×10-57Jm
この式により、各々の放出した電磁気の場の状態を理解する。
８．質量ができた場の状態はどのようであったか。
一般式を示す。
質量＝1.296×10−48Kg
A=8.574×1030a
電磁気のエネルギー＝aJ×A＝8.574×1030a2J
電磁気の軌道＝1.233×10−41Jm÷エネルギー＝1.233×10−41Jm÷(aJ×8.574×1030a)＝1.438×10−72÷a2m
電磁気の軌道エネルギー＝1.438×10−72÷a2m×8.574×1030a2J＝1.233×10−41Jm
電磁気の質量エネルギー＝1.296×10−48Kg×9×1016×A=1.166×10−31J×8.574×1030a＝aJ
電磁気の質量エネルギー×軌道＝aJ×1.438×10−72÷a2m＝1.438×10−72÷am
磁気の光子の質量＝1.628×10−56Kg
磁気の光子のエネルギー＝電磁気のエネルギー÷(7.96×107)＝8.574×1030a2J÷(7.96×107)＝1.077×1023a2J
磁気の光子の軌道＝電磁気の軌道×3.14÷(7.96×107)＝1.438×10−72÷a2m×3.14÷(7.96×107)＝5.673×10−80÷a2m
磁気の光子の軌道エネルギー＝5.673×10−80÷a2m×1.077×1023a2J＝6.110×10−57Jm
磁気の光子の質量エネルギー＝1.628×10−56Kg×9×1016×A=1.465×10−39×8.574×1030a＝1.256×10−8×a
磁気の光子の質量エネルギー×軌道＝1.256×10−8×a×5.673×10−80÷a2m＝7.125×10−88÷a Jm
この式により、各々の放出した電磁気の質量ができた場の状態を理解する。
９．電子のラブができた場の状態はどのようであったか。
一般式を示す。
質量＝1.296×10−48Kg
A=1.865×1038a
電磁気のエネルギー＝aJ×A＝1.865×1038a2J
電磁気の軌道＝1.233×10−41Jm÷エネルギー＝1.233×10−41Jm÷(1.865×1038a2J)=6.611×10-80m÷a2
電磁気の軌道エネルギー＝6.611×10-80m÷a2×1.865×1038a2J＝1.233×10-41Jm
電磁気の質量エネルギー＝1.296×10−48Kg×9×1016×A=1.166×10−31J×1.865×1038a=2.175×10７a J
電磁気の質量エネルギー×軌道＝2.175×10７a J×6.611×10-80m÷a2＝1.438×10-72÷a Jm
磁気の光子の質量＝1.628×10−56Kg
磁気の光子のエネルギー＝電磁気のエネルギー÷(7.96×107)＝1.865×1038a2J÷(7.96×107)＝2.343×1030a2J
磁気の光子の軌道＝電磁気の軌道×3.14÷(7.96×107)＝6.611×10-80m÷a2×3.14÷(7.96×107)＝2.608×10-87m÷a2 
磁気の光子の軌道エネルギー＝2.608×10-87m÷a2×2.343×1030a2J=6.111×10-57Jm
磁気の光子の質量エネルギー＝1.628×10−56Kg×9×1016×A=1.465×10−39×1.865×1038a=2.732×10-1a J
磁気の光子の質量エネルギー×軌道＝2.732×10-1a
J×2.608×10-87m÷a2＝7.125×10-88÷a Jm
電子のラブの大きさ＝電磁気の軌道×(7.028×1017)1/3=電磁気の軌道×8.891×105
電子のラブの大きさ＝地表の電子のラブの自転軌道÷A=4.18×10-18m÷A
電子のラブのエネルギー＝電磁気の質量エネルギー×7.028×1017個
電子のラブのエネルギー＝地表の電子のラブのエネルギー×A=8.187×10-14J×A
この式により、各々の放出した電磁気の電子のラブができた場の状態を理解する。
１０．陽子のラブができた場の状態はどのようであったか。
一般式を示す。
質量＝1.296×10−48Kg
A=3.421×1041a
電磁気のエネルギー＝aJ×A＝3.421×1041a2J
電磁気の軌道＝1.233×10−41Jm÷エネルギー＝1.233×10−41Jm÷(3.421×1041a2J)＝3.604×10-83÷a2 m
電磁気の軌道エネルギー＝3.604×10-83÷a2 m×3.421×1041a2J=1.233×10-41Jm
電磁気の質量エネルギー＝1.296×10−48Kg×9×1016×A=1.166×10−31J×3.421×1041a=3.989×1010aJ
電磁気の質量エネルギー×軌道＝3.989×1010aJ×3.604×10-83÷a2 m＝1.438×10-72÷a Jm
磁気の光子の質量=電磁気の質量÷1公転の自転数＝1.296×10−48Kg÷(4.34×10４)＝2.986×10-53Kg
磁気の光子のエネルギー＝電磁気のエネルギー÷1公転の自転数＝電磁気のエネルギー÷(4.34×104)＝3.421×1041a2J÷(4.34×104)＝ 7.882×1036a2J
磁気の光子の軌道＝電磁気の軌道×3.14÷1公転の自転数＝3.604×10-83÷a2 m×3.14÷(4.34×104)＝2.608×10-87÷a2 m
磁気の光子の軌道エネルギー＝2.608×10-87÷a2 m×7.882×1036a2J＝2.056×10-50Jm
磁気の光子の質量エネルギー＝2.986×10-53Kg×9×1016×A＝2.687×10-36J×3.421×1041a=9.194×10５aJ
磁気の光子の質量エネルギー×軌道＝9.194×10５aJ×2.608×10-87÷a2 m＝2.398×10-81÷a Jm
陽子のラブの大きさ＝電磁気の軌道×(1.289×1021個)1/3=電磁気の軌道×1.088×10７
陽子のラブの大きさ＝地表の陽子のラブの大きさ÷A=4.18×10-18m÷A
陽子のラブのエネルギー＝電磁気の質量エネルギー×1.289×1021
陽子のラブのエネルギー＝地表の陽子のラブのエネルギー×A＝1.5×10-10J×A
この式により、各々の放出した電磁気の陽子のラブができた場の状態を理解する。
１１．質量ができる場と電子のラブができる場と陽子のラブができる場の電磁気と磁気の光子に関する一般式を表で比較します。但し、a2=a×aとする。
表１
2012095439.tif 000003
陽子のラブの磁気の光子のエネルギーが電子のラブの磁気の光子のエネルギーの何倍か。その理由はどうしてか。
陽子のラブの磁気の光子のエネルギー÷電子のラブの磁気の光子のエネルギー＝7.882×1036×a2J÷(2.343×1030×a2J)＝3.364×106(倍)
陽子のラブの磁気の光子のエネルギーが電子のラブの磁気の光子のエネルギーの3.364×106倍です。
その理由は、陽子のラブの電磁気のエネルギーは、電子のラブの電磁気のエネルギーの1836倍です。
電子のラブの1個の磁気のエネルギーは電子のラブの1個の電磁気のエネルギーの7.96×107分の1です。
陽子のラブの1個の磁気のエネルギーは陽子のラブの1個の電磁気のエネルギーの4.34×104分の1です。
電子のラブの電磁気のエネルギーをｂJとすると、陽子のラブの磁気のエネルギーは、1836×ｂJ÷(4.34×103)＝4.23×10−2ｂJ、です。
電子のラブの磁気の光子のエネルギーは、ｂJ÷(7.96×107)＝1.256×10−8ｂJ、です。
それで、陽子のラブの磁気の光子のエネルギー÷電子のラブの磁気の光子のエネルギー＝4.23×10−2ｂJ÷(1.256×10−8ｂJ)＝3.368×106
陽子のラブの磁気の光子のエネルギーは電子のラブの磁気の光子のエネルギーの3.368×106倍です。
１２．放出した電磁気によってできる場のAと、質量ができた場のAと、電子のラブができた場のAと、陽子のラブができる場のAの関係はどのようであるか。電磁気は何個集まって質量になることができるか。
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができる場のエネルギーは、電磁気の場のエネルギーの7.030×1017倍になっている。
それで、電磁気は7.030×1017個集まって、1つの電子のラブになることができる。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
質量ができた場のA÷放出した電磁気によってできる場のA＝8.574×1030a÷(2.653×1020a)＝3.232×1010
質量ができた場のエネルギーは、放出した電磁気によってできる場のエネルギーの3.232×1010倍になっている。
それで、電磁気は3.232×1010個集まって、質量になることができる。
これを“質量になる電磁気の集団”と名付ける。
１３．電子のラブは、電磁気が3.232×1010個集まって質量になった“質量になる電磁気の集団”が何集団でできるか。陽子のラブは、“質量になる電磁気の集団”が何集団でできるか。
電子のラブは、電子のラブの電磁気の数÷“質量になる電磁気の集団”の数＝7.028×1017個÷(3.232×1010個)＝2.175×107(集団)、でできる。
陽子のラブは、陽子のラブの電磁気の数÷“質量になる電磁気の集団”の数＝1.289×1021個÷(3.232×1010個)＝3.988×1010(集団)、でできる。
【発明の効果】
【０００６】
次の事が理解できた。
１．質量はどのようにできたか。
ある特定のエネルギーの場で質量ができたとする。その特定のエネルギーの場で、質量エネルギーができる。その特定のエネルギーの場で、放出したエネルギーは質量になっていて、質量エネルギーとなっている。特定の場のエネルギーを地表のA倍とする。
質量エネルギー＝1.296×10−48Kg×9×1016×A＝1.166×10−31J×A＝放出した電磁気のエネルギー＝aJ
A=aJ÷(1.166×10−31J)＝8.576×1030a
A=8.576×1030aの場で、放出した電磁気のエネルギー＝質量エネルギーになる。8.576×1030aJのエネルギーの場で、放出したエネルギーは質量エネルギーと成り、質量ができている。
放出したエネルギーが質量エネルギーになる。この事はエネルギーが質量になることです。
A=8.576×1030aの場で、エネルギーは質量エネルギーになる事ができます。
それで、A=8.576×1030aの場で、質量ができます。
２．質量ができた磁気の光子は、電磁気から独立し、7.96×107個の磁気の光子になり、7.96×107個の磁気の光子が重なり合って、存在するのか。又は、磁気の光子は電磁気の輪になって存在するのか。(特願2010−229174、では、7.96×107個の磁気の光子が重なり合って、存在すると考えた。)
a.磁気の光子が独立して存在し、7.96×107個の磁気の光子が重なり合い、これが7.028×1017個集合する場合の電子のラブの大きさ＝磁気の光子の軌道×(7.028×1017個)1/3
b. 磁気の光子は電磁気の輪になって存在する場合の電子のラブの大きさ＝電磁気の軌道×(7.028×1017個)1/3
c.電子のラブの大きさ＝地表の電子のラブの自転軌道÷質量ができた場のA
cの値に近いのは、aの値かbの値か、によって答が出る。
質量ができる場のA=8.576×1030a、です。
質量ができる場の磁気の光子の軌道は、磁気の光子の軌道＝質量ができる場の電磁気の軌道×3.14÷(7.96×10７)＝1.233×10-41Jm÷(aJ×A)×3.14÷(7.96×10７)＝4.864×10-49m÷(aJ×A)＝4.864×10-49m÷(aJ×8.576×1030a)＝5.672×10-80÷a2m
質量ができる場の電磁気の軌道は、電磁気の軌道＝1.233×10−41Jm÷エネルギー＝1.233×10−41Jm÷(aJ×8.574×1030a)＝1.438×10−72÷a2m
それで、
a.磁気の光子が独立して存在し、7.96×107個の磁気の光子が重なり合い、これが7.028×1017個集合する場合の電子のラブの大きさ＝磁気の光子の軌道×(7.028×1017個)1/3＝5.672×10-80÷a2m×8.891×10５＝5.043×10-74÷a2m
b. 磁気の光子は電磁気の輪になって存在する場合の電子のラブの大きさ＝電磁気の軌道×(7.028×1017個)1/3＝1.438×10−72÷a2m×8.891×105＝1.279×10-66÷a2m
c.電子のラブの大きさ＝地表の電子のラブの自転軌道÷質量ができた場のA＝4.175×10-18m÷(8.576×1030a)＝4.868×10-49÷am
この式により、各々の放出した電磁気でできる電子のラブの大きさを求め、a.b.c.を比較する。
1eVの場合。
a.の値は、電子のラブの大きさ＝5.043×10-74÷a2m＝5.043×10-74÷(1.602×10-19)2m＝5.043×10-74÷(2.566×10-38)m＝1.965×10-36m
b.の値は、電子のラブの大きさ＝1.279×10-66÷a2m＝1.279×10-66÷(1.602×10-19)2m＝1.279×10-66÷(2.566×10-38)m＝4.984×10-29m
c.の値は、電子のラブの大きさ＝4.868×10-49÷am＝4.868×10-49÷(1.602×10-19)m＝3.039×10-30m
よって、c.の値に近いのはb.の値です。
2.154×10-19Jの場合。
a.の値は、電子のラブの大きさ＝5.043×10-74÷a2m＝5.043×10-74÷(2.154×10-19)2m＝5.043×10-74÷(4.640×10-38)m＝1.087×10-36m
b.の値は、電子のラブの大きさ＝1.279×10-66÷a2m＝1.279×10-66÷(2.154×10-19)2m＝1.279×10-66÷(4.640×10-38)m＝2.756×10-29m
c.の値は、電子のラブの大きさ＝4.868×10-49÷am＝4.868×10-49÷(2.154×10-19)m＝2.260×10-30m
よって、c.の値に近いのはb.の値です。
1.423×10-18Jの場合。
a.の値は、電子のラブの大きさ＝5.043×10-74÷a2m＝5.043×10-74÷(1.423×10-18)2m＝5.043×10-74÷(2.025×10-36)m＝2.490×10-38m
b.の値は、電子のラブの大きさ＝1.279×10-66÷a2m＝1.279×10-66÷(1.423×10-18)2m＝1.279×10-66÷(2.025×10-36)m＝6.316×10-31m
c.の値は、電子のラブの大きさ＝4.868×10-49÷am＝4.868×10-49÷(1.423×10-18)m＝3.421×10-31m
よって、c.の値に近いのはb.の値です。
1.233×10-17Jの場合。
a.の値は、電子のラブの大きさ＝5.043×10-74÷a2m＝5.043×10-74÷(1.233×10-17)2m＝5.043×10-74÷(1.520×10-34)m＝4.090×10-40m
b.の値は、電子のラブの大きさ＝1.279×10-66÷a2m＝1.279×10-66÷(1.233×10-17)2m＝1.279×10-66÷(1.520×10-34)m＝8.414×10-33m
c.の値は、電子のラブの大きさ＝4.868×10-49÷am＝4.868×10-49÷(1.233×10-17)m＝3.948×10-32m
よって、c.の値に近いのはb.の値です。
4.499×10-15Jの場合。
a.の値は、電子のラブの大きさ＝5.043×10-74÷a2m＝5.043×10-74÷(4.499×10-1５)2m＝5.043×10-74÷(2.024×10-29)m＝2.492×10-45m
b.の値は、電子のラブの大きさ＝1.279×10-66÷a2m＝1.279×10-66÷(4.499×10-1５)2m＝1.279×10-66÷(2.024×10-29)m＝6.319×10-38m
c.の値は、電子のラブの大きさ＝4.868×10-49÷am＝4.868×10-49÷(4.499×10-15)m＝1.082×10-34m
よって、c.の値に近いのはb.の値です。
一般式で解く。
cの値÷aの値＝4.868×10-49÷am÷(5.043×10-74÷a2m)＝9.653×1024×a
cの値÷bの値＝4.868×10-49÷am÷(1.279×10-66÷a2m)＝3.806×1017×a
よって、c.の値に近いのはb.の値です。
即ち、質量ができた磁気の光子は電磁気の輪になって存在する。
３．質量ができた場のAは、できる電子のラブのエネルギーの何倍のエネルギーか。
放出した電磁気のエネルギー別に、質量ができた場のA÷できる電子のラブのエネルギー、を計算する。
1eVの場合。
質量ができた場のA÷できる電子のラブのエネルギー＝1.374×1012÷(1.602×10-19J×7.028×1017個)＝1.220×1013(倍)
2.154×10-19Jの場合。
質量ができた場のA÷できる電子のラブのエネルギー＝1.847×1012÷(2.154×10-19J×7.028×1017個)＝1.220×1013(倍)
1.423×10-18Jの場合。
質量ができた場のA÷できる電子のラブのエネルギー＝1.220×1013÷(1.423×10-18J×7.028×1017個)＝1.220×1013(倍)
1.233×10-17Jの場合。
質量ができた場のA÷できる電子のラブのエネルギー＝1.057×1014÷(1.233×10-17J×7.028×1017個)＝1.220×1013(倍)
4.499×10-15Jの場合。
質量ができた場のA÷できる電子のラブのエネルギー＝3.858×1016÷(4.499×10-15J×7.028×1017個)＝1.220×1013(倍)
一般式から、
質量ができた場のA÷できる電子のラブのエネルギー＝8.574×1030a÷(aJ×7.028×1017個)＝1.220×1013
よって、質量ができた場のAは、できる電子のラブのエネルギーの1.220×1013倍です。
４．電子のラブができた場のAは、できる電子のラブのエネルギーの何倍のエネルギーか。
放出した電磁気のエネルギー別に、電子のラブができた場のA÷できる電子のラブのエネルギー、を計算する。
1eVの場合。
電子のラブができた場のA÷できる電子のラブのエネルギー＝2.987×1019÷(1.602×10-19J×7.028×1017個)＝2.653×1020
2.154×10-19Jの場合。
電子のラブができた場のA÷できる電子のラブのエネルギー＝4.017×1019÷(2.154×10-19J×7.028×1017個)＝2.654×1020
1.423×10-18Jの場合。
電子のラブができた場のA÷できる電子のラブのエネルギー＝2.655×1020÷(1.423×10-18J×7.028×1017個)＝2.655×1020
1.233×10-17Jの場合。
電子のラブができた場のA÷できる電子のラブのエネルギー＝2.299×1021÷(1.233×10-17J×7.028×1017個)＝2.653×1020
4.499×10-15Jの場合。
電子のラブができた場のA÷できる電子のラブのエネルギー＝8.389×1023÷(4.499×10-15J×7.028×1017個)＝2.653×1020
一般式から、
電子のラブができた場のA÷できる電子のラブのエネルギー＝1.865×1038a÷(aJ×7.028×1017個)＝2.654×1020
よって、質量ができた場のAは、できる電子のラブのエネルギーの2.654×1020倍です。
５．陽子のラブができた場のAは、できる陽子のラブのエネルギーの何倍のエネルギーか。
放出した電磁気のエネルギー別に、陽子のラブができた場のA÷できる陽子のラブのエネルギー、を計算する。
1eVの場合。
陽子のラブができた場のA÷できる陽子のラブのエネルギー＝5.479×1022÷(1.602×10-19J×1.289×1021個)＝2.653×1020
2.154×10-19Jの場合。
陽子のラブができた場のA÷できる陽子のラブのエネルギー＝7.367×1022÷(2.154×10-19J×1.289×1021個)＝2.653×1020
1.423×10-18Jの場合。
陽子のラブができた場のA÷できる陽子のラブのエネルギー＝4.867×1023÷(1.423×10-18J×1.289×1021個)＝2.653×1020
1.233×10-17Jの場合。
陽子のラブができた場のA÷できる陽子のラブのエネルギー＝4.220×1024÷(1.233×10-17J×1.289×1021個)＝2.655×1020
4.499×10-15Jの場合。
陽子のラブができた場のA÷できる陽子のラブのエネルギー＝1.540×1027÷(4.499×10-15J×1.289×1021個)＝2.656×1020
一般式から、
陽子のラブができた場のA÷できる陽子のラブのエネルギー＝3.421×1041a÷(aJ×1.289×1021個)＝2.654×1020
よって、陽子のラブができた場のAは、できる陽子のラブのエネルギーの2.654×1020倍です。
６．放出した電磁気の状態はどのようであったか。
電磁気のエネルギー＝aJ
電磁気の軌道＝1.233×10−41Jm÷エネルギー＝1.233×10−41Jm÷aJ
電磁気の軌道エネルギー＝1.233×10−41Jm÷aJ×aJ=1.233×10−41Jm
磁気の光子のエネルギー＝電磁気のエネルギー÷(7.96×107)＝aJ÷(7.96×107)=1.256×10-8×aJ
磁気の光子の軌道＝電磁気の軌道×3.14÷(7.96×107)＝1.233×10−41Jm÷aJ×3.14÷(7.96×107)＝4.864×10-49÷am
磁気の光子の軌道エネルギー＝4.864×10-49÷am×1.256×10-8×aJ＝3.873×10-57Jm
この式により、各々の放出した電磁気の状態を理解する。
各々の放出した電磁気の状態を表に示す。
表2
2012095439.tif 000004
７．放出した電磁気の場の状態はどのようであったか。
A=2.653×1020×a
電磁気のエネルギー＝aJ×A＝2.653×1020×a2J
電磁気の軌道＝1.233×10−41Jm÷エネルギー＝1.233×10−41Jm÷(2.653×1020×a2J)＝4.648×10-62÷a2m
電磁気の軌道エネルギー＝4.648×10-62÷a2m×2.653×1020×a2J＝1.233×10-41Jm
磁気の光子のエネルギー＝電磁気のエネルギー÷(7.96×107)＝2.653×1020×a2J÷(7.96×107)＝3.333×1012×a2J
磁気の光子の軌道＝電磁気の軌道×3.14÷(7.96×107)＝4.648×10-62÷a2m×3.14÷(7.96×107)＝1.834×10-69÷a2m
磁気の光子の軌道エネルギー＝1.834×10-69÷a2m×3.333×1012×a2J＝6.113×10-57Jm
この式により、各々の放出した電磁気の場の状態を理解する。
各々の放出した電磁気の場の状態を表に示す。
表3
2012095439.tif 000005
８．質量ができた場の状態はどのようであったか。
一般式を示す。
質量＝1.296×10−48Kg
A=8.574×1030a
電磁気のエネルギー＝aJ×A＝8.574×1030a2J
電磁気の軌道＝1.233×10−41Jm÷エネルギー＝1.233×10−41Jm÷(aJ×8.574×1030a)＝1.438×10−72÷a2m
電磁気の質量エネルギー＝1.296×10−48Kg×9×1016×A=1.166×10−31J×8.574×1030a＝aJ
電磁気の軌道エネルギー＝1.438×10−72÷a2m×aJ＝1.438×10−72÷am
電磁気の質量エネルギー×軌道＝aJ×1.438×10−72÷a2m＝1.438×10−72÷am
磁気の光子の質量＝1.628×10−56Kg
磁気の光子のエネルギー＝電磁気のエネルギー÷(7.96×107)＝8.574×1030a2J÷(7.96×107)＝1.077×1023a2J
磁気の光子の軌道＝電磁気の軌道×3.14÷(7.96×107)＝1.438×10−72÷a2m×3.14÷(7.96×107)＝5.673×10−80÷a2m
磁気の光子の質量エネルギー＝1.628×10−56Kg×9×1016×A=1.465×10−39×8.574×1030a＝1.256×10−8×a
磁気の光子の軌道エネルギー＝5.673×10−80÷a2m×1.077×1023a2J＝6.110×10−57Jm
磁気の光子の質量エネルギー×軌道＝1.256×10−8×a×5.673×10−80÷a2m＝7.125×10−88÷a Jm
この式により、各々の放出した電磁気における質量ができた場の状態を理解する。
各々の放出した電磁気における質量ができた場の状態を表に示す。
表4
2012095439.tif 000006
９．電子のラブができた場の状態はどのようであったか。
一般式を示す。
質量＝1.296×10−48Kg
A=1.865×1038a
電磁気のエネルギー＝aJ×A＝1.865×1038a2J
電磁気の軌道＝1.233×10−41Jm÷エネルギー＝1.233×10−41Jm÷(1.865×1038a2J)=6.611×10-80m÷a2
電磁気の質量エネルギー＝1.296×10−48Kg×9×1016×A=1.166×10−31J×1.865×1038a=2.175×10７a J
電磁気の軌道エネルギー＝6.611×10-80m÷a2×1.865×1038a2J＝1.233×10-41Jm
電磁気の質量エネルギー×軌道＝2.175×10７a J×6.611×10-80m÷a2＝1.438×10-72÷a Jm
磁気の光子の質量＝1.628×10−56Kg
磁気の光子のエネルギー＝電磁気のエネルギー÷(7.96×107)＝1.865×1038a2J÷(7.96×107)＝2.343×1030a2J
磁気の光子の軌道＝電磁気の軌道×3.14÷(7.96×107)＝6.611×10-80m÷a2×3.14÷(7.96×107)＝2.608×10-87m÷a2 
磁気の光子の質量エネルギー＝1.628×10−56Kg×9×1016×A=1.465×10−39×1.865×1038a=2.732×10-1a J
磁気の光子の軌道エネルギー＝2.608×10-87m÷a2×2.343×1030a2J=6.111×10-57Jm
磁気の光子の質量エネルギー×軌道＝2.732×10-1a
J×2.608×10-87m÷a2＝7.125×10-88÷a Jm
電子のラブの大きさ＝電磁気の軌道×(7.028×1017)1/3=電磁気の軌道×8.891×105
電子のラブの大きさ＝地表の電子のラブの自転軌道÷A=4.18×10-18m÷A
電子のラブのエネルギー＝電磁気の質量エネルギー×7.028×1017個
電子のラブのエネルギー＝地表の電子のラブのエネルギー×A=8.187×10-14J×A
この式により、各々の放出した電磁気における電子のラブができた場の状態を理解する。
各々の放出した電磁気における電子のラブができた場の状態を表に示す。
表5
2012095439.tif 000007
１０．陽子のラブができた場の状態はどのようであったか。
一般式を示す。
質量＝1.296×10−48Kg
A=3.421×1041a
電磁気のエネルギー＝aJ×A＝3.421×1041a2J
電磁気の軌道＝1.233×10−41Jm÷エネルギー＝1.233×10−41Jm÷(3.421×1041a2J)＝3.604×10-83÷a2 m
電磁気の質量エネルギー＝1.296×10−48Kg×9×1016×A=1.166×10−31J×3.421×1041a=3.989×1010aJ
電磁気の軌道エネルギー＝3.604×10-83÷a2 m×3.421×1041a2J=1.233×10-41Jm
電磁気の質量エネルギー×軌道＝3.989×1010aJ×3.604×10-83÷a2 m＝1.438×10-72÷a Jm
磁気の光子の質量=電磁気の質量÷1公転の自転数＝1.296×10−48Kg÷(4.34×10４)＝2.986×10-53Kg
磁気の光子のエネルギー＝電磁気のエネルギー÷1公転の自転数＝電磁気のエネルギー÷(4.34×104)＝3.421×1041a2J÷(4.34×104)＝ 7.882×1036a2J
磁気の光子の軌道＝電磁気の軌道×3.14÷1公転の自転数＝3.604×10-83÷a2 m×3.14÷(4.34×104)＝2.608×10-87÷a2 m
磁気の光子の質量エネルギー＝2.986×10-53Kg×9×1016×A＝2.687×10-36J×3.421×1041a=9.194×10５aJ
磁気の光子の軌道エネルギー＝2.608×10-87÷a2 m×7.882×1036a2J＝2.056×10-50Jm
磁気の光子の質量エネルギー×軌道＝9.194×10５aJ×2.608×10-87÷a2 m＝2.398×10-81÷a Jm
陽子のラブの大きさ＝電磁気の軌道×(1.289×1021個)1/3=電磁気の軌道×1.088×10７
陽子のラブの大きさ＝地表の陽子のラブの大きさ÷A=4.18×10-18m÷A
陽子のラブのエネルギー＝電磁気の質量エネルギー×1.289×1021
陽子のラブのエネルギー＝地表の陽子のラブのエネルギー×A＝1.5×10-10J×A
この式により、各々の放出した電磁気における陽子のラブができた場の状態を理解する。
各々の放出した電磁気における陽子のラブができた場の状態を表に示す。
表6
2012095439.tif 000008
１１．質量ができる場と電子のラブができる場と陽子のラブができる場の電磁気と磁気の光子に関する一般式を表で比較します。
表7
2012095439.tif 000009
陽子のラブの磁気の光子のエネルギーが電子のラブの磁気の光子のエネルギーの何倍か。その理由はどうしてか。
陽子のラブの磁気の光子のエネルギー÷電子のラブの磁気の光子のエネルギー＝7.882×1036×a2J÷(2.343×1030×a2J)＝3.364×106(倍)
陽子のラブの磁気の光子のエネルギーが電子のラブの磁気の光子のエネルギーの3.364×106倍です。
その理由は、陽子のラブの電磁気のエネルギーは、電子のラブの電磁気のエネルギーの1836倍です。
電子のラブの磁気のエネルギーは電子のラブの電磁気のエネルギーの7.96×107分の1です。
陽子のラブの磁気のエネルギーは陽子のラブの電磁気のエネルギーの4.34×104分の1です。
電子のラブの電磁気のエネルギーをｂJとすると、陽子のラブの磁気のエネルギーは、1836×ｂJ÷(4.34×103)＝4.23×10−2ｂJ、です。
電子のラブの磁気の光子のエネルギーは、ｂJ÷(7.96×107)＝1.256×10−8ｂJ、です。
それで、陽子のラブの磁気の光子のエネルギー÷電子のラブの磁気の光子のエネルギー＝4.23×10−2ｂJ÷(1.256×10−8ｂJ)＝3.368×106
陽子のラブの磁気の光子のエネルギーは電子のラブの磁気の光子のエネルギーの3.368×106倍です。
１２．放出した電磁気によってできる場のAと、質量ができた場のAと、電子のラブができた場のAと、陽子のラブができる場のAの関係はどのようであるか。電磁気は何個集まって質量になることができるか。
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができる場のエネルギーは、放出した電磁気によってできる場のエネルギーの7.030×1017倍になっている。
それで、電磁気は7.030×1017個集まって、1つの電子のラブになることができる。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
質量ができた場のA÷放出した電磁気によってできる場のA＝8.574×1030a÷(2.653×1020a)＝3.232×1010
質量ができた場のエネルギーは、放出した電磁気によってできる場のエネルギーの3.232×1010倍になっている。
それで、電磁気は3.232×1010個集まって、質量になる。
これを“質量になる電磁気の集団”と名付ける。
１３．電子のラブは、電磁気が3.232×1010個集まって質量になった“質量になる電磁気の集団”が何集団でできるか。陽子のラブは、“質量になる電磁気の集団”が何集団でできるか。
電子のラブの電磁気の数÷“質量になる電磁気の集団”の数＝7.028×1017個÷(3.232×1010個)＝2.175×107
電子のラブは“質量になる電磁気の集団”が2.175×107集団でできる。
陽子のラブの電磁気の数÷“質量になる電磁気の集団”の数＝1.289×1021個÷(3.232×1010個)＝3.988×1010
陽子のラブは“質量になる電磁気の集団”が3.988×1010集団でできる。
【図面の簡単な説明】
【０００７】
【図１】ある特定のエネルギーの場で質量ができたとする。その特定のエネルギーの場で、質量エネルギーができる。その特定エネルギーの場で放出したエネルギーは質量になっていて、質量エネルギーとなっている。特定の場のエネルギーを地表のA倍とする。質量エネルギー＝1.296×10−48Kg×9×1016×A＝1.166×10−31J×A＝放出した電磁気のエネルギー＝aJA=aJ÷(1.166×10−31J)＝8.576×1030aA=8.576×1030aの場で、放出した電磁気のエネルギー＝質量エネルギーになる。8.576×1030aJのエネルギーの場で、放出したエネルギーは質量エネルギーと成り、質量ができている。
【図２】質量ができた磁気の光子は、電磁気から独立し、7.96×107個の磁気の光子になり、7.96×107個の磁気の光子が重なり合って、存在するのか。又は、磁気の光子は電磁気の輪になって存在するのか。(特願2010−229174、では、7.96×107個の磁気の光子が重なり合って、存在すると考えた)質量ができる場のA=8.576×1030a、です。質量ができる場の磁気の光子の軌道は、磁気の光子の軌道＝質量ができる場の電磁気の軌道×3.14÷(7.96×10７)＝1.233×10-41Jm÷(aJ×A)×3.14÷(7.96×10７)＝4.864×10-49m÷(aJ×A)＝4.864×10-49m÷(aJ×8.576×1030a)＝5.672×10-80÷a2m質量ができる場の電磁気の軌道は、電磁気の軌道＝1.233×10−41Jm÷エネルギー＝1.233×10−41Jm÷(aJ×8.574×1030a)＝1.438×10−72÷a2mそれで、a.磁気の光子が独立して存在し、7.96×107個の磁気の光子が重なり合い、これが7.028×1017個集合する場合の電子のラブの大きさ＝磁気の光子の軌道×(7.028×1017個)1/3＝5.672×10-80÷a2m×8.891×10５＝5.043×10-74÷a2mb. 磁気の光子は電磁気の輪になって存在する場合の電子のラブの大きさ＝電磁気の軌道×(7.028×1017個)1/3＝1.438×10−72÷a2m×8.891×105＝1.279×10-66÷a2mc.電子のラブの大きさ＝地表の電子のラブの自転軌道÷質量ができた場のA＝4.175×10-18m÷(8.576×1030a)＝4.868×10-49÷amこの式により、各々の放出した電磁気でできる電子のラブの大きさを求め、a.b.c.を比較する。一般式では、cの値÷aの値＝4.868×10-49÷am÷(5.043×10-74÷a2m)＝9.653×1024×acの値÷bの値＝4.868×10-49÷am÷(1.279×10-66÷a2m)＝3.806×1017×aよって、c.の値に近いのはb.の値です。
【図３】放出した電磁気によってできる場のAは2.653×1020×aです。質量ができる場のAは8.574×1030aです。電子のラブができる場のAは1.865×1038aです。陽子のラブができる場のAは3.421×1041aです。電子のラブができる場のエネルギーは、放出した電磁気によってできる場のエネルギーの7.030×1017倍になっている。それで、電磁気は7.030×1017個集まって、1つの電子のラブになることができる。陽子のラブができる場のエネルギーは、電子のラブができた場のエネルギーの1.834×103倍になっている。それで、電子のラブは1.834×103個集まって、陽子のラブになることができる。陽子のラブができる場のエネルギーは、放出した電磁気によってできる場のエネルギーの1.289×1021倍になっている。それで、電磁気は1.289×1021個集まって、１つの陽子のラブになることができる。質量ができた場のA÷放出した電磁気によってできる場のA＝8.574×1030a÷(2.653×1020a)＝3.232×1010質量ができた場のエネルギーは、放出した電磁気によってできる場のエネルギーの3.232×1010倍になっている。それで、電磁気は3.232×1010個集まって、質量になる。これを“質量になる電磁気の集団”と名付ける。電子のラブは“質量になる電磁気の集団”が2.175×107集団でできる。陽子のラブは“質量になる電磁気の集団”が3.988×1010集団でできる。
【発明を実施するための形態】
【０００８】
１．質量はどのようにできたか。
ある特定のエネルギーの場で質量ができたとする。その特定のエネルギーの場で、質量エネルギーができる。その特定のエネルギーの場で、放出したエネルギーは質量になっていて、質量エネルギーとなっている。特定の場のエネルギーを地表のA倍とする。
質量エネルギー＝1.296×10−48Kg×9×1016×A＝1.166×10−31J×A＝放出した電磁気のエネルギー＝aJ
A=aJ÷(1.166×10−31J)＝8.576×1030a
A=8.576×1030aの場で、放出した電磁気のエネルギー＝質量エネルギーになる。8.576×1030aJのエネルギーの場で、放出したエネルギーは質量エネルギーと成り、質量ができている。
放出したエネルギーが質量エネルギーになる。この事はエネルギーが質量になることです。
A=8.576×1030aの場で、エネルギーは質量エネルギーになる事ができます。
それで、A=8.576×1030aの場で、質量ができます。
２．質量ができた磁気の光子は、電磁気から独立し、7.96×107個の磁気の光子になり、7.96×107個の磁気の光子が重なり合って、存在するのか。又は、磁気の光子は電磁気の輪になって存在するのか。(特願2010−229174、では、7.96×107個の磁気の光子が重なり合って、存在すると考えた。)
a.磁気の光子が独立して存在し、7.96×107個の磁気の光子が重なり合い、これが7.028×1017個集合する場合の電子のラブの大きさ＝磁気の光子の軌道×(7.028×1017個)1/3
b. 磁気の光子は電磁気の輪になって存在する場合の電子のラブの大きさ＝電磁気の軌道×(7.028×1017個)1/3
c.電子のラブの大きさ＝地表の電子のラブの自転軌道÷質量ができた場のA
cの値に近いのは、aの値かbの値か、によって答が出る。
質量ができる場のA=8.576×1030a、です。
質量ができる場の磁気の光子の軌道は、磁気の光子の軌道＝質量ができる場の電磁気の軌道×3.14÷(7.96×10７)＝1.233×10-41Jm÷(aJ×A)×3.14÷(7.96×10７)＝4.864×10-49m÷(aJ×A)＝4.864×10-49m÷(aJ×8.576×1030a)＝5.672×10-80÷a2m
質量ができる場の電磁気の軌道は、電磁気の軌道＝1.233×10−41Jm÷エネルギー＝1.233×10−41Jm÷(aJ×8.574×1030a)＝1.438×10−72÷a2m
それで、
a.磁気の光子が独立して存在し、7.96×107個の磁気の光子が重なり合い、これが7.028×1017個集合する場合の電子のラブの大きさ＝磁気の光子の軌道×(7.028×1017個)1/3＝5.672×10-80÷a2m×8.891×10５＝5.043×10-74÷a2m
b. 磁気の光子は電磁気の輪になって存在する場合の電子のラブの大きさ＝電磁気の軌道×(7.028×1017個)1/3＝1.438×10−72÷a2m×8.891×105＝1.279×10-66÷a2m
c.電子のラブの大きさ＝地表の電子のラブの自転軌道÷質量ができた場のA＝4.175×10-18m÷(8.576×1030a)＝4.868×10-49÷am
この式により、各々の放出した電磁気でできる電子のラブの大きさを求め、a.b.c.を比較する。
1eVの場合。
a.の値は、電子のラブの大きさ＝5.043×10-74÷a2m＝5.043×10-74÷(1.602×10-19)2m＝5.043×10-74÷(2.566×10-38)m＝1.965×10-36m
b.の値は、電子のラブの大きさ＝1.279×10-66÷a2m＝1.279×10-66÷(1.602×10-19)2m＝1.279×10-66÷(2.566×10-38)m＝4.984×10-29m
c.の値は、電子のラブの大きさ＝4.868×10-49÷am＝4.868×10-49÷(1.602×10-19)m＝3.039×10-30m
よって、c.の値に近いのはb.の値です。
2.154×10-19Jの場合。
a.の値は、電子のラブの大きさ＝5.043×10-74÷a2m＝5.043×10-74÷(2.154×10-19)2m＝5.043×10-74÷(4.640×10-38)m＝1.087×10-36m
b.の値は、電子のラブの大きさ＝1.279×10-66÷a2m＝1.279×10-66÷(2.154×10-19)2m＝1.279×10-66÷(4.640×10-38)m＝2.756×10-29m
c.の値は、電子のラブの大きさ＝4.868×10-49÷am＝4.868×10-49÷(2.154×10-19)m＝2.260×10-30m
よって、c.の値に近いのはb.の値です。
1.423×10-18Jの場合。
a.の値は、電子のラブの大きさ＝5.043×10-74÷a2m＝5.043×10-74÷(1.423×10-18)2m＝5.043×10-74÷(2.025×10-36)m＝2.490×10-38m
b.の値は、電子のラブの大きさ＝1.279×10-66÷a2m＝1.279×10-66÷(1.423×10-18)2m＝1.279×10-66÷(2.025×10-36)m＝6.316×10-31m
c.の値は、電子のラブの大きさ＝4.868×10-49÷am＝4.868×10-49÷(1.423×10-18)m＝3.421×10-31m
よって、c.の値に近いのはb.の値です。
1.233×10-17Jの場合。
a.の値は、電子のラブの大きさ＝5.043×10-74÷a2m＝5.043×10-74÷(1.233×10-17)2m＝5.043×10-74÷(1.520×10-34)m＝4.090×10-40m
b.の値は、電子のラブの大きさ＝1.279×10-66÷a2m＝1.279×10-66÷(1.233×10-17)2m＝1.279×10-66÷(1.520×10-34)m＝8.414×10-33m
c.の値は、電子のラブの大きさ＝4.868×10-49÷am＝4.868×10-49÷(1.233×10-17)m＝3.948×10-32m
よって、c.の値に近いのはb.の値です。
4.499×10-15Jの場合。
a.の値は、電子のラブの大きさ＝5.043×10-74÷a2m＝5.043×10-74÷(4.499×10-1５)2m＝5.043×10-74÷(2.024×10-29)m＝2.492×10-45m
b.の値は、電子のラブの大きさ＝1.279×10-66÷a2m＝1.279×10-66÷(4.499×10-1５)2m＝1.279×10-66÷(2.024×10-29)m＝6.319×10-38m
c.の値は、電子のラブの大きさ＝4.868×10-49÷am＝4.868×10-49÷(4.499×10-15)m＝1.082×10-34m
よって、c.の値に近いのはb.の値です。
一般式で解く。
cの値÷aの値＝4.868×10-49÷am÷(5.043×10-74÷a2m)＝9.653×1024×a
cの値÷bの値＝4.868×10-49÷am÷(1.279×10-66÷a2m)＝3.806×1017×a
よって、c.の値に近いのはb.の値です。
即ち、質量ができた磁気の光子は電磁気の輪になって存在する。
３．質量ができた場のAは、できる電子のラブのエネルギーの何倍のエネルギーか。
放出した電磁気のエネルギー別に、質量ができた場のA÷できる電子のラブのエネルギー、を計算する。
1eVの場合。
質量ができた場のA÷できる電子のラブのエネルギー＝1.374×1012÷(1.602×10-19J×7.028×1017個)＝1.220×1013(倍)
2.154×10-19Jの場合。
質量ができた場のA÷できる電子のラブのエネルギー＝1.847×1012÷(2.154×10-19J×7.028×1017個)＝1.220×1013(倍)
1.423×10-18Jの場合。
質量ができた場のA÷できる電子のラブのエネルギー＝1.220×1013÷(1.423×10-18J×7.028×1017個)＝1.220×1013(倍)
1.233×10-17Jの場合。
質量ができた場のA÷できる電子のラブのエネルギー＝1.057×1014÷(1.233×10-17J×7.028×1017個)＝1.220×1013(倍)
4.499×10-15Jの場合。
質量ができた場のA÷できる電子のラブのエネルギー＝3.858×1016÷(4.499×10-15J×7.028×1017個)＝1.220×1013(倍)
一般式から、
質量ができた場のA÷できる電子のラブのエネルギー＝8.574×1030a÷(aJ×7.028×1017個)＝1.220×1013
よって、質量ができた場のAは、できる電子のラブのエネルギーの1.220×1013倍です。
４．電子のラブができた場のAは、できる電子のラブのエネルギーの何倍のエネルギーか。
放出した電磁気のエネルギー別に、電子のラブができた場のA÷できる電子のラブのエネルギー、を計算する。
1eVの場合。
電子のラブができた場のA÷できる電子のラブのエネルギー＝2.987×1019÷(1.602×10-19J×7.028×1017個)＝2.653×1020
2.154×10-19Jの場合。
電子のラブができた場のA÷できる電子のラブのエネルギー＝4.017×1019÷(2.154×10-19J×7.028×1017個)＝2.654×1020
1.423×10-18Jの場合。
電子のラブができた場のA÷できる電子のラブのエネルギー＝2.655×1020÷(1.423×10-18J×7.028×1017個)＝2.655×1020
1.233×10-17Jの場合。
電子のラブができた場のA÷できる電子のラブのエネルギー＝2.299×1021÷(1.233×10-17J×7.028×1017個)＝2.653×1020
4.499×10-15Jの場合。
電子のラブができた場のA÷できる電子のラブのエネルギー＝8.389×1023÷(4.499×10-15J×7.028×1017個)＝2.653×1020
一般式から、
電子のラブができた場のA÷できる電子のラブのエネルギー＝1.865×1038a÷(aJ×7.028×1017個)＝2.654×1020
よって、質量ができた場のAは、できる電子のラブのエネルギーの2.654×1020倍です。
５．陽子のラブができた場のAは、できる陽子のラブのエネルギーの何倍のエネルギーか。
放出した電磁気のエネルギー別に、陽子のラブができた場のA÷できる陽子のラブのエネルギー、を計算する。
1eVの場合。
陽子のラブができた場のA÷できる陽子のラブのエネルギー＝5.479×1022÷(1.602×10-19J×1.289×1021個)＝2.653×1020
2.154×10-19Jの場合。
陽子のラブができた場のA÷できる陽子のラブのエネルギー＝7.367×1022÷(2.154×10-19J×1.289×1021個)＝2.653×1020
1.423×10-18Jの場合。
陽子のラブができた場のA÷できる陽子のラブのエネルギー＝4.867×1023÷(1.423×10-18J×1.289×1021個)＝2.653×1020
1.233×10-17Jの場合。
陽子のラブができた場のA÷できる陽子のラブのエネルギー＝4.220×1024÷(1.233×10-17J×1.289×1021個)＝2.655×1020
4.499×10-15Jの場合。
陽子のラブができた場のA÷できる陽子のラブのエネルギー＝1.540×1027÷(4.499×10-15J×1.289×1021個)＝2.656×1020
一般式から、
陽子のラブができた場のA÷できる陽子のラブのエネルギー＝3.421×1041a÷(aJ×1.289×1021個)＝2.654×1020
よって、陽子のラブができた場のAは、できる陽子のラブのエネルギーの2.654×1020倍です。
６．放出した電磁気の状態はどのようであったか。
一般式を示す。
電磁気のエネルギー＝aJ
電磁気の軌道＝1.233×10−41Jm÷エネルギー＝1.233×10−41Jm÷aJ
電磁気の軌道エネルギー＝1.233×10−41Jm÷aJ×aJ=1.233×10−41Jm
磁気の光子のエネルギー＝電磁気のエネルギー÷(7.96×107)＝aJ÷(7.96×107)=1.256×10-8×aJ
磁気の光子の軌道＝電磁気の軌道×3.14÷(7.96×107)＝1.233×10−41Jm÷aJ×3.14÷(7.96×107)＝4.864×10-49÷am
磁気の光子の軌道エネルギー＝4.864×10-49÷am×1.256×10-8×aJ＝6.109×10-57Jm
この式により、各々の放出した電磁気の状態を理解する。
各々の放出した電磁気の状態を表に示す。
表8
2012095439.tif 000010
７．放出した電磁気の場の状態はどのようであったか。
一般式を示す。
A=2.653×1020×a
電磁気のエネルギー＝aJ×A＝2.653×1020×a2J
電磁気の軌道＝1.233×10−41Jm÷エネルギー＝1.233×10−41Jm÷(2.653×1020×a2J)＝4.648×10-62÷a2m
電磁気の軌道エネルギー＝4.648×10-62÷a2m×2.653×1020×a2J＝1.233×10-41Jm
磁気の光子のエネルギー＝電磁気のエネルギー÷(7.96×107)＝2.653×1020×a2J÷(7.96×107)＝3.333×1012×a2J
磁気の光子の軌道＝電磁気の軌道×3.14÷(7.96×107)＝4.648×10-62÷a2m×3.14÷(7.96×107)＝1.834×10-69÷a2m
磁気の光子の軌道エネルギー＝1.834×10-69÷a2m×3.333×1012×a2J＝6.113×10-57Jm
この式により、各々の放出した電磁気の場の状態を理解する。
各々の放出した電磁気の場の状態を表に示す。
表9
2012095439.tif 000011
８．質量ができた場の状態はどのようであったか。
一般式を示す。
質量＝1.296×10−48Kg
A=8.574×1030a
電磁気のエネルギー＝aJ×A＝8.574×1030a2J
電磁気の軌道＝1.233×10−41Jm÷エネルギー＝1.233×10−41Jm÷(aJ×8.574×1030a)＝1.438×10−72÷a2m
電磁気の質量エネルギー＝1.296×10−48Kg×9×1016×A=1.166×10−31J×8.574×1030a＝aJ
電磁気の軌道エネルギー＝1.438×10−72÷a2m×aJ＝1.438×10−72÷am
電磁気の質量エネルギー×軌道＝aJ×1.438×10−72÷a2m＝1.438×10−72÷am
磁気の光子の質量＝1.628×10−56Kg
磁気の光子のエネルギー＝電磁気のエネルギー÷(7.96×107)＝8.574×1030a2J÷(7.96×107)＝1.077×1023a2J
磁気の光子の軌道＝電磁気の軌道×3.14÷(7.96×107)＝1.438×10−72÷a2m×3.14÷(7.96×107)＝5.673×10−80÷a2m
磁気の光子の質量エネルギー＝1.628×10−56Kg×9×1016×A=1.465×10−39×8.574×1030a＝1.256×10−8×a
磁気の光子の軌道エネルギー＝5.673×10−80÷a2m×1.077×1023a2J＝6.110×10−57Jm
磁気の光子の質量エネルギー×軌道＝1.256×10−8×a×5.673×10−80÷a2m＝7.125×10−88÷a Jm
この式により、各々の放出した電磁気における質量ができた場の状態を理解する。
各々の放出した電磁気における質量ができた場の状態を表に示す。
表10
2012095439.tif 000012
９．電子のラブができた場の状態はどのようであったか。
一般式を示す。
質量＝1.296×10−48Kg
A=1.865×1038a
電磁気のエネルギー＝aJ×A＝1.865×1038a2J
電磁気の軌道＝1.233×10−41Jm÷エネルギー＝1.233×10−41Jm÷(1.865×1038a2J)=6.611×10-80m÷a2
電磁気の質量エネルギー＝1.296×10−48Kg×9×1016×A=1.166×10−31J×1.865×1038a=2.175×10７a J
電磁気の軌道エネルギー＝6.611×10-80m÷a2×1.865×1038a2J＝1.233×10-41Jm
電磁気の質量エネルギー×軌道＝2.175×10７a J×6.611×10-80m÷a2＝1.438×10-72÷a Jm
磁気の光子の質量＝1.628×10−56Kg
磁気の光子のエネルギー＝電磁気のエネルギー÷(7.96×107)＝1.865×1038a2J÷(7.96×107)＝2.343×1030a2J
磁気の光子の軌道＝電磁気の軌道×3.14÷(7.96×107)＝6.611×10-80m÷a2×3.14÷(7.96×107)＝2.608×10-87m÷a2 
磁気の光子の質量エネルギー＝1.628×10−56Kg×9×1016×A=1.465×10−39×1.865×1038a=2.732×10-1a J
磁気の光子の軌道エネルギー＝2.608×10-87m÷a2×2.343×1030a2J=6.111×10-57Jm
磁気の光子の質量エネルギー×軌道＝2.732×10-1a
J×2.608×10-87m÷a2＝7.125×10-88÷a Jm
電子のラブの大きさ＝電磁気の軌道×(7.028×1017)1/3=電磁気の軌道×8.891×105
電子のラブの大きさ＝地表の電子のラブの自転軌道÷A=4.18×10-18m÷A
電子のラブのエネルギー＝電磁気の質量エネルギー×7.028×1017個
電子のラブのエネルギー＝地表の電子のラブのエネルギー×A=8.187×10-14J×A
この式により、各々の放出した電磁気における電子のラブができた場の状態を理解する。
各々の放出した電磁気における電子のラブができた場の状態を表に示す。
表11
2012095439.tif 000013
１０．陽子のラブができた場の状態はどのようであったか。
一般式を示す。
質量＝1.296×10−48Kg
A=3.421×1041a
電磁気のエネルギー＝aJ×A＝3.421×1041a2J
電磁気の軌道＝1.233×10−41Jm÷エネルギー＝1.233×10−41Jm÷(3.421×1041a2J)＝3.604×10-83÷a2 m
電磁気の質量エネルギー＝1.296×10−48Kg×9×1016×A=1.166×10−31J×3.421×1041a=3.989×1010aJ
電磁気の軌道エネルギー＝3.604×10-83÷a2 m×3.421×1041a2J=1.233×10-41Jm
電磁気の質量エネルギー×軌道＝3.989×1010aJ×3.604×10-83÷a2 m＝1.438×10-72÷a Jm
磁気の光子の質量=電磁気の質量÷1公転の自転数＝1.296×10−48Kg÷(4.34×10４)＝2.986×10-53Kg
磁気の光子のエネルギー＝電磁気のエネルギー÷1公転の自転数＝電磁気のエネルギー÷(4.34×104)＝3.421×1041a2J÷(4.34×104)＝ 7.882×1036a2J
磁気の光子の軌道＝電磁気の軌道×3.14÷1公転の自転数＝3.604×10-83÷a2 m×3.14÷(4.34×104)＝2.608×10-87÷a2 m
磁気の光子の質量エネルギー＝2.986×10-53Kg×9×1016×A＝2.687×10-36J×3.421×1041a=9.194×10５aJ
磁気の光子の軌道エネルギー＝2.608×10-87÷a2 m×7.882×1036a2J＝2.056×10-50Jm
磁気の光子の質量エネルギー×軌道＝9.194×10５aJ×2.608×10-87÷a2 m＝2.398×10-81÷a Jm
陽子のラブの大きさ＝電磁気の軌道×(1.289×1021個)1/3=電磁気の軌道×1.088×10７
陽子のラブの大きさ＝地表の陽子のラブの大きさ÷A=4.18×10-18m÷A
陽子のラブのエネルギー＝電磁気の質量エネルギー×1.289×1021
陽子のラブのエネルギー＝地表の陽子のラブのエネルギー×A＝1.5×10-10J×A
この式により、各々の放出した電磁気における陽子のラブができた場の状態を理解する。
各々の放出した電磁気における陽子のラブができた場の状態を表に示す。
表12
2012095439.tif 000014
１１．質量ができる場と電子のラブができる場と陽子のラブができる場の電磁気と磁気の光子に関する一般式を表で比較します。但し、a2=a×aです。
表13
2012095439.tif 000015
陽子のラブの磁気の光子のエネルギーが電子のラブの磁気の光子のエネルギーの何倍か。その理由はどうしてか。
陽子のラブの磁気の光子のエネルギー÷電子のラブの磁気の光子のエネルギー＝7.882×1036×a2J÷(2.343×1030×a2J)＝3.364×106(倍)
陽子のラブの磁気の光子のエネルギーが電子のラブの磁気の光子のエネルギーの3.364×106倍です。
その理由は、陽子のラブの電磁気のエネルギーは、電子のラブの電磁気のエネルギーの1836倍です。
電子のラブの1個の磁気のエネルギーは電子のラブの1個の電磁気のエネルギーの7.96×107分の1です。
陽子のラブの1個の磁気のエネルギーは陽子のラブの1個の電磁気のエネルギーの4.34×104分の1です。
電子のラブの電磁気のエネルギーをｂJとすると、陽子のラブの磁気のエネルギーは、1836×ｂJ÷(4.34×103)＝4.23×10−2ｂJ、です。
電子のラブの磁気の光子のエネルギーは、ｂJ÷(7.96×107)＝1.256×10−8ｂJ、です。
それで、陽子のラブの磁気の光子のエネルギー÷電子のラブの磁気の光子のエネルギー＝4.23×10−2ｂJ÷(1.256×10−8ｂJ)＝3.368×106
陽子のラブの磁気の光子のエネルギーは電子のラブの磁気の光子のエネルギーの3.368×106倍です。
１２．放出した電磁気によってできる場のAと、質量ができた場のAと、電子のラブができた場のAと、陽子のラブができる場のAの関係はどのようであるか。電磁気は何個集まって質量になることができるか。
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができる場のエネルギーは、電磁気の場のエネルギーの7.030×1017倍になっている。
それで、電磁気は7.030×1017個集まって、1つの電子のラブになることができる。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
質量ができた場のA÷放出した電磁気によってできる場のA＝8.574×1030a÷(2.653×1020a)＝3.232×1010
質量ができた場のエネルギーは、放出した電磁気によってできる場のエネルギーの3.232×1010倍になっている。
それで、電磁気は3.232×1010個集まって、質量になることができる。
これを“質量になる電磁気の集団”と名付ける。
１３．電子のラブは、電磁気が3.232×1010個集まって質量になった“質量になる電磁気の集団”が何集団でできるか。陽子のラブは、“質量になる電磁気の集団”が何集団でできるか。
電子のラブの電磁気の数÷“質量になる電磁気の集団”の数＝7.028×1017個÷(3.232×1010個)＝2.175×107
電子のラブは“質量になる電磁気の集団”が2.175×107集団でできる。
陽子のラブの電磁気の数÷“質量になる電磁気の集団”の数＝1.289×1021個÷(3.232×1010個)＝3.988×1010
陽子のラブは“質量になる電磁気の集団”が3.988×1010集団でできる。
【産業上の利用可能性】
【０００９】
物質の原初、ビッグバンの以前の様子、電子のラブと陽子のラブがどのようにできたかを理解する事は科学の発展に役立つ。
【符号の説明】
【００１０】
１    電磁気のエネルギー
２    質量エネルギー
３    電磁気から独立し、質量のある磁気の光子
４    電磁気から独立し、質量のある磁気の光子が集まり、電子のラブになった大きさ＝磁気の光子の軌道×(7.028×1017個)1/3
５    電磁気の輪になって存在する、質量のある磁気の光子
６    電磁気の輪になって存在する、質量のある磁気の光子が集まり、電子のラブになった大きさ＝電磁気の軌道×(7.028×1017個)1/3
７    電子のラブの大きさ＝地表の電子のラブの自転軌道÷質量ができた場のA
８    放出した電磁気によってできる場のAは2.653×1020×aです。
９    質量ができる場のAは8.574×1030aです。
１０    電子のラブができる場のAは1.865×1038aです。
１１    陽子のラブができる場のAは3.421×1041aです。
１２    電磁気は3.232×1010個集まって、質量になる。これを“質量になる電磁気の集団”と名付ける。
１３    電子のラブは“質量になる電磁気の集団”が2.175×107集団でできる。
１４    陽子のラブは“質量になる電磁気の集団”が3.998×1010集団でできる。
【図１】
2012095439.tif 000017
【図２】
2012095439.tif 000018
【図３】
2012095439.tif 000019